(57)【要約】【課題】携帯して持ち運び、さらに、保持された各様のデータを用いて処理を行う携帯機器において、コネクタによるホスト機器との接続時の操作性を向上しかつ小型化が可能な携帯機器を提供すること。【解決手段】情報処理を行うＣＰＵと、ＣＰＵから一の方向に離間して設けられ、ＣＰＵの行う情報処理に必要な外部との通信のためのコネクタと、ＣＰＵから一の方向とは反対の方向に離間して設けられ、ＣＰＵの行う情報処理に必要な電力を供給する電池とを具備する。または、情報処理を行うＣＰＵと、ＣＰＵから離間して設けられ、ＣＰＵの行う情報処理に必要な外部との通信のためのコネクタと、コネクタとＣＰＵとが実装された配線板と、配線板のコネクタが実装された面と同じ面側に設けられ、ＣＰＵの行う情報処理に必要な電力を供給する電池とを具備する。【選択図】図１
2005202563.tif 000002
【特許請求の範囲】
【請求項１】
情報処理を行うＣＰＵと、
前記ＣＰＵから一の方向に離間して設けられ、前記ＣＰＵの行う前記情報処理に必要な外部との通信のためのコネクタと、
前記ＣＰＵから前記一の方向とは反対の方向に離間して設けられ、前記ＣＰＵの行う前記情報処理に必要な電力を供給する電池と
を具備することを特徴とする携帯機器。
【請求項２】
情報処理を行うＣＰＵと、
前記ＣＰＵから離間して設けられ、前記ＣＰＵの行う前記情報処理に必要な外部との通信のためのコネクタと、
前記コネクタと前記ＣＰＵとが実装された配線板と、
前記配線板の前記コネクタが実装された面と同じ面側に設けられ、前記ＣＰＵの行う前記情報処理に必要な電力を供給する電池と
を具備することを特徴とする携帯機器。
【請求項３】
前記コネクタと前記ＣＰＵとが実装された配線板をさらに具備し、
前記電池が、前記配線板における前記コネクタの配置された側の面に面して配置されていること
を特徴とする請求項１記載の携帯機器。
【請求項４】
前記コネクタと前記ＣＰＵとが実装された配線板と、
前記配線板の前記コネクタが実装された面とは反対の面側に設けられ、前記ＣＰＵの行う前記情報処理に関連する情報を表示するディスプレイと
をさらに具備することを特徴とする請求項１記載の携帯機器。
【請求項５】
前記配線板の前記コネクタが実装された面とは反対の面側に設けられ、前記ＣＰＵの行う前記情報処理に関連する情報を表示するディスプレイをさらに具備することを特徴とする請求項２記載の携帯機器。
【請求項６】
前記コネクタと前記ＣＰＵとが実装された配線板と、
前記配線板の前記コネクタが実装された面とは反対側の面に実装され、前記ＣＰＵの行う前記情報処理に対する操作を入力する操作ボタンと
をさらに具備することを特徴とする請求項１記載の携帯機器。
【請求項７】
前記配線板の前記コネクタが実装された面とは反対側の面に実装され、前記ＣＰＵの行う前記情報処理に対する操作を入力する操作ボタンをさらに具備することを特徴とする請求項２記載の携帯機器。
【請求項８】
前記コネクタと前記ＣＰＵとが実装された配線板と、
前記配線板の前記コネクタが実装された面と同じ面側に設けられ、前記ＣＰＵの行う前記情報処理に必要な外部との無線通信のためのアンテナとをさらに具備し、
前記アンテナが、前記無線通信としてＩＳＯ１４４４３で規定された非接触インターフェース規格の通信を行うこと
を特徴とする請求項１記載の携帯機器。
【請求項９】
前記配線板の前記コネクタが実装された面と同じ面側に設けられ、前記ＣＰＵの行う前記情報処理に必要な外部との無線通信のためのアンテナをさらに具備し、
前記アンテナが、前記無線通信としてＩＳＯ１４４４３で規定された非接触インターフェース規格の通信を行うこと
を特徴とする請求項２記載の携帯機器。
【請求項１０】
前記コネクタと前記ＣＰＵとが実装された配線板と、
前記配線板の前記コネクタが実装された面と同じ面に実装され、前記ＣＰＵの行う前記情報処理に対する非常時操作を入力する非常時操作ボタンと
をさらに具備することを特徴とする請求項１記載の携帯機器。
【請求項１１】
前記配線板の前記コネクタが実装された面と同じ面に実装され、前記ＣＰＵの行う前記情報処理に対する非常時操作を入力する非常時操作ボタンをさらに具備することを特徴とする請求項２記載の携帯機器。
【請求項１２】
前記コネクタが、ＵＳＢ用コネクタであることを特徴とする請求項１ないし１１のいずれか１項記載の携帯機器。
【請求項１３】
前記電池が、二次電池であることを特徴とする請求項１ないし１１のいずれか１項記載の携帯機器。
【請求項１４】
前記コネクタと前記ＣＰＵとが実装された配線板と、
前記配線板に実装されたＳＩＭ用コネクタと
をさらに具備することを特徴とする請求項１記載の携帯機器。
【請求項１５】
前記配線板に実装されたＳＩＭ用コネクタをさらに具備することを特徴とする請求項２記載の携帯機器。
【請求項１６】
前記ＳＩＭ用コネクタが、前記配線板のコネクタが実装された面と同じ面に実装されていることを特徴とする請求項１４または１５記載の携帯機器。
【発明の詳細な説明】
【技術分野】
【０００１】
本発明は、携帯して持ち運び、さらに、保持された各様のデータを用いて処理を行う携帯機器に係り、特に、小型化、操作性向上に好適な携帯機器に関する。
【背景技術】
【０００２】
近年、携帯機器のひとつである携帯電話の急速な普及に伴い、使用される部品においても小型化や半導体素子化が進んでいる。部品のひとつである電池も需要が急拡大し、小型・軽量・薄肉化や高容量化が進んでいる。このような状況の下、各種機能を持った携帯機器が誕生している。
【０００３】
その中で、機器単独である種の機能を発揮する携帯機器においても、基本構成としてＣＰＵ（central processing unit）を始めとするハードウエアと電池とを有することに加え、外部との通信に用いるインタフェース用コネクタが搭載されるようになってきた。このようなコネクタによりパソコンなどのホスト機器との通信を行うことができる。ＣＰＵによる処理とホスト機器との通信とにより、携帯機器として様々な機能を持たせることができ、さらに新しい携帯機器が生まれる可能性も出てきている。
【０００４】
携帯電話では、その本来の機能を実現する場はモバイル形態時、すなわち無線通信時であることから、上記のようなコネクタが搭載されている場合であってもその配置位置が機器としての操作性を考慮されたものにはなっていない。一方で、無線通信を主とせず、有線でのデータ通信を主とする携帯機器も増加するものと考えられる。いずれの場合も今後は、必要な場所でプログラムやデータのやり取りが確実になされるように、かなり長い時間ホスト機器に接続される使われ方が増加すると考えられる。
【０００５】
なお、ＣＰＵや電池、コネクタを有する携帯機器の従来技術として例えば下記の特許文献１、特許文献２に記載のものがある。これらの開示内容では、コネクタを設けた場合における操作性の維持や向上についての言及は特にない。
【特許文献１】特開２００２−９４５４５号公報
【特許文献２】特開２０００−２９５４４号公報
【発明の開示】
【発明が解決しようとする課題】
【０００６】
上記の事項をより具体的に言うと、現状の携帯電話では、コネクタによるホスト機器との接続時に機器としての機械的なバランスが必ずしもよくない。このため通常、固定具を必要とする。バランスの悪さは電池の配置位置近辺にコネクタがあるなどの場合に顕著である。また、接続にケーブルを要することから、ケーブルや固定具がホスト機器の側に常設されていない場合には、これらの付属品もモバイル時に持ち歩く必要が生じる。このためこれらの紛失という問題もある。また、携帯機器では、もとよりモバイル性を良好にするため、小型・軽量・薄型化が必要である。
【０００７】
本発明は、上記した事情を考慮してなされたもので、携帯して持ち運び、さらに、保持された各様のデータを用いて処理を行う携帯機器において、コネクタによるホスト機器との接続時の操作性を向上しかつ小型化が可能な携帯機器を提供することを目的とする。
【課題を解決するための手段】
【０００８】
上記の課題を解決するため、本発明に係る携帯機器は、情報処理を行うＣＰＵと、前記ＣＰＵから一の方向に離間して設けられ、前記ＣＰＵの行う前記情報処理に必要な外部との通信のためのコネクタと、前記ＣＰＵから前記一の方向とは反対の方向に離間して設けられ、前記ＣＰＵの行う前記情報処理に必要な電力を供給する電池とを具備することを特徴とする。
【０００９】
すなわち、ＣＰＵ、コネクタ、電池の配置関係として、ＣＰＵを挟んで互いに反対にコネクタと電池とが位置する関係とする。このような配置によると、部品として厚みが相対的に厚いコネクタと電池との重なり合う配置を避けて全体としての厚みを薄くすることができる。また、コネクタがＣＰＵなどの電気回路部分に近く配置できる分、空間利用効率を向上して小型化しやすい。また、電池による内部構造の分断がなく部品の空間利用効率の悪化を招くこともない。
【００１０】
さらに、コネクタにケーブルをつなげる場合にそのケーブルが機器の上側に延びることになるので操作の妨げにならず、また固定具に固定した状態でケーブルなどをつなげる必要もない。コネクタに直接ホスト機器側のコネクタに接続する場合にも操作しやすい。したがって、ホスト機器との接続時の操作性を向上しかつ小型化が可能である。
【００１１】
また、本発明に係る別の携帯機器は、情報処理を行うＣＰＵと、前記ＣＰＵから離間して設けられ、前記ＣＰＵの行う前記情報処理に必要な外部との通信のためのコネクタと、前記コネクタと前記ＣＰＵとが実装された配線板と、前記配線板の前記コネクタが実装された面と同じ面側に設けられ、前記ＣＰＵの行う前記情報処理に必要な電力を供給する電池とを具備することを特徴とする。
【００１２】
この携帯機器では、上記の場合に比較して電池の配置として必ずしもＣＰＵを挟んでコネクタの反対側でなくてもよい。これは、電池が例えば厚みのごく薄いペーパ型である場合などに対応するものである。ただし、配線板との位置関係で電池がコネクタと同じ側に設けられるので、部品としての厚みが相対的に大きいコネクタの高さを利用して電池を配置し全体としての厚みを薄くすることができる。よって、この場合にもホスト機器との接続時の操作性を向上しかつ小型化が可能である。
【発明の効果】
【００１３】
本発明に係る携帯機器によれば、コネクタによるホスト機器との接続時の操作性を向上しかつ小型化が可能である。
【発明を実施するための最良の形態】
【００１４】
本発明の実施態様として、前記コネクタと前記ＣＰＵとが実装された配線板をさらに具備し、前記電池は、前記配線板における前記コネクタの配置された側の面に面して配置されている、としてもよい。配線板の同じ面にコネクタと電池とが位置することにより携帯機器としての厚みをより薄くすることが可能である。
【００１５】
また、実施態様として、前記コネクタと前記ＣＰＵとが実装された配線板と、前記配線板の前記コネクタが実装された面とは反対の面側に設けられ、前記ＣＰＵの行う前記情報処理に関連する情報を表示するディスプレイとをさらに具備するようにしてもよい。ディスプレイをコネクタが実装された面と反対の側、すなわちより好ましくは電池の位置する側とも反対の側に設けると、電池の重みにより、ディスプレイ面が視認される姿勢のとき機械的な安定性がよくなる。
【００１６】
また、実施態様として、前記コネクタと前記ＣＰＵとが実装された配線板と、前記配線板の前記コネクタが実装された面とは反対側の面に実装され、前記ＣＰＵの行う前記情報処理に対する操作を入力する操作ボタンとをさらに具備するようにしてもよい。操作ボタンをコネクタが実装された面と反対の側、すなわちより好ましくは電池の位置する側とも反対の側に設けると、電池の重みにより、利用者が操作を行うとき機械的な安定性がよくなる。
【００１７】
また、実施態様として、前記コネクタと前記ＣＰＵとが実装された配線板と、前記配線板の前記コネクタが実装された面と同じ面側に設けられ、前記ＣＰＵの行う前記情報処理に必要な外部との無線通信のためのアンテナとをさらに具備し、前記アンテナが、前記無線通信としてＩＳＯ１４４４３で規定された非接触インターフェース規格の通信を行う、としてもよい。アンテナをコネクタが実装された面と同じ側、すなわちより好ましくはディスプレイや操作ボタンの位置する側とは反対の側に設けることにより、ディスプレイの視認や操作ボタンの操作に妨げとならないようにアンテナとホスト機器との通信が短距離でなされる。
【００１８】
また、実施態様として、前記コネクタと前記ＣＰＵとが実装された配線板と、前記配線板の前記コネクタが実装された面と同じ面に実装され、前記ＣＰＵの行う前記情報処理に対する非常時操作を入力する非常時操作ボタンとをさらに具備するようにしてもよい。非常時操作ボタンをコネクタが実装された面と同じ側、すなわちより好ましくはディスプレイや操作ボタンの位置する側とは反対の側に設けることにより、偶発的な操作がされにくくなり非常時操作ボタンの配置として向く。非常時操作ボタンには、例えばリセットボタンやプログラム書き換え用のブートスイッチボタンなどが考えられる。
【００１９】
また、実施態様として、前記コネクタは、ＵＳＢ（universal serial bus）用コネクタである、とすることができる。ＵＳＢは外部機器との接続のための一般的なインターフェース規格である。
【００２０】
また、実施態様として、前記電池は、二次電池である、とすることができる。二次電池によれば、例えば取り外し交換することなく充電により多数回使用することができる。
【００２１】
また、実施態様として、前記コネクタと前記ＣＰＵとが実装された配線板と、前記配線板に実装されたＳＩＭ（subscriber identity module）用コネクタとをさらに具備するようにしてもよい。これによりＳＩＭを着脱可能に内蔵することができ、例えば使用者を限定して使用する場合に容易に対応できる。
【００２２】
ここで、前記ＳＩＭ用コネクタは、前記配線板のコネクタが実装された面と同じ面に実装されている、とすることができる。これによれば内蔵されるＳＩＭが、コネクタが実装された面と同じ側、すなわちより好ましくはディスプレイや操作ボタンの位置する側とは反対の側に設けられ、ＳＩＭの着脱を通常操作のひとつとして扱わないようなＳＩＭ用コネクタの配置になる。このようにすればＳＩＭの着脱が不用意になされるのを効果的に防止することができる。
【００２３】
なお、上記の各実施態様において、「前記コネクタと前記ＣＰＵとが実装された配線板」については本発明に係る別の携帯機器においては改めて必要とはしない。もともと含んでいるからである。
【００２４】
以上を踏まえ、以下では本発明の実施形態を図面を参照しながら説明する。図１は、本発明の一実施形態に係る携帯機器の構成を示す図である。図１（ａ）は上面図、図１（ｂ）は側面図である。なお、ここでの図示は、説明の便宜のため筐体部分を省略している。これ以降の実施形態も同様である。
【００２５】
図１に示すように、この携帯機器は、ＵＳＢ用コネクタ１１、電池１２、ＣＰＵ１３、配線板１４、その他の回路部品１５を有する。ＵＳＢ用コネクタ１１は、ＵＳＢ規格に則ったコネクタ（ここではプラグ型）であり、この携帯機器と外部機器（パソコンなどのホスト機器）とを接続するものである。接続により通信が行われ、通信された情報を必要に応じて利用してこの携帯機器は処理を行う。当然ながら、ＵＳＢ用コネクタ１１は、他の規格に対応するならばその規格用のコネクタにすることも考えられる。
【００２６】
電池１２は、この携帯機器に電力を供給する電力源である。例えばリチウムイオン電池などとすることができる。ＣＰＵ１３は、この携帯機器が行う処理のハードウエアとしての主要部である。その他の回路部品１５は、ＣＰＵ１３とともに処理を行うための回路部である。配線板１４は、コネクタ１１、ＣＰＵ１３、その他の回路部品１５などを実装するための配線基板である。配線板１４に形成された回路パターンによりこれらの部品間で所定の電気的接続がなされている。なお、電池１２は、不図示の導線ケーブルにより配線板１４上の回路パターンに電気的接続されている。
【００２７】
さらに説明をすると、その他の回路部品１５は、図示するように、配線板１４の両面に実装するようにしてもよい。また、ＣＰＵ１３は、この実施形態ではコネクタ１１と同じ面の配線板１４上に実装されているが、配線板１４の反対面に実装するようにしてもよい。ＣＰＵ１３は、この携帯機器の有すべき機能に応じて、ＣＩＳＣ（complex instruction set computer）やＲＩＳＣ（reduced instruction set computer）のマイコン、ＭＰＵ（micro processing unit）、ＤＳＰ（digital signal processor）などとすることができる。
【００２８】
ＣＰＵ１３は、空間的に、コネクタ１１と電池１２の間に離間して配置される。一般的にコネクタは、ＵＳＢ用コネクタ１１を含めて実装高さがＣＰＵ１３やその他の回路部品１５より高い。そこで、ＵＳＢ用コネクタ１１を配線板１４上の電池１２が搭載された面の同じ面に実装する。このようにすると、電池１２の高さがやはりＣＰＵ１３やその他の回路部品１５より高いので、効率的な空間利用となる。すなわち、コネクタ１１の実装面と反対側の面に電池１２が位置している場合に比べて全体としての厚みが減少する。
【００２９】
この実施形態に係る携帯機器によれば、ＣＰＵ１３、ＵＳＢ用コネクタ１１、電池１２の配置関係として、ＣＰＵ１３を挟んで互いに反対にコネクタ１１と電池１２とが位置し、部品として厚みが相対的に厚いコネクタ１１と電池１２との重なり合う配置を避けて全体としての厚みを薄くすることができる。また、コネクタ１２がＣＰＵ１３などの電気回路部分に近く配置できる分、空間利用効率を向上して小型化しやすい。また、電池１２による内部構造の分断がなく部品の空間利用効率の悪化を招くことがない、電池１２とコネクタ１１とを配線板１４の同一面側に設けたので全体としての厚みを薄くできる、などの点でも小型化にも向いている。
【００３０】
コネクタ１１にケーブルをつなげる場合にそのケーブルがこの携帯機器の上側に延びることになるので操作の妨げにならず、また固定具に固定した状態でケーブルなどをつなげる必要もない。コネクタ１１に直接ホスト機器側のコネクタに接続する場合にも操作しやすい。
【００３１】
図２は、本発明の別の実施形態に係る携帯機器の構成を示す図である。図２（ａ）は上面図、図２（ｂ）は側面図である。図２において、すでに説明した構成要素と同一のものには同一符号を付してある。この実施形態が上記の実施形態と異なるのは、電池１２の配置であり、すなわち配線板１２Ａのない領域に配置されることである。配線板１２Ａとして上記実施形態より面積が小さくなっているが、その他の回路部品１５の規模が小さい場合には適した構成である。また、電池１２が、ケーシングなどが施されてより厚い場合に全体としての厚みを薄くすることにも向いている。この実施形態でも、電池１２は不図示の導線ケーブルにより配線板１４Ａ上の回路パターンに電気的接続されるようにすることができる。また、上記の実施形態とほぼ同様の効果を有している。
【００３２】
図３は、本発明のさらに別の実施形態に係る携帯機器の構成を示す図である。図３（ａ）は上面図、図３（ｂ）は側面図である。図３において、すでに説明した構成要素と同一のものには同一符号を付してある。この実施形態では、電池としてペーパ型の電池１２Ａを用いている。ペーパ型の電池１２Ａは近年の電池の小型化・高性能化の一環として開発が盛んになされているものである。
【００３３】
図示の電池１２Ａは過放電や過充電の防止用などの保護回路を除いた素電池であるが、保護回路は配線板１４上に実装することができる。また、この実施形態では、コネクタ１１が実装された配線板１４の面側に電池１２Ａが配置されている。これにより、コネクタ１１の実装高さが配線板１４に実装されたＣＰＵ１３やその他の回路部品１５の実装高さよりも高いことを利用して電池１２Ａを配置し、全体としての厚みを薄くすることができる。また、図１に示した実施形態で配線板１４上の電池１２が位置していた領域に新たな回路部品１５Ａを実装することができる。例えば上記の保護回路とすることができる。
【００３４】
図４、図５、図６は、それぞれ、本発明のさらに別の実施形態に係る携帯機器の構成を示す側面図である。図３、図４、図５において、すでに説明した構成要素と同一のものには同一符号を付してある。これらの実施形態では、操作ボタン１６を新たに設け、これを配線板１４のコネクタ１１が実装された側とは反対の面側に設けている。なお、その他の構成については、図４は図１と、図５は図２と、図６は図３とそれぞれ同じである。
【００３５】
このように操作ボタン１６を配置したのは、電池１２、１２Ａが他の構成部品に比べて重量があるため、操作時には電池１２、１２Ａが携帯機器としての下部（裏）位置するのがバランスとしてよいからである。すなわち、この実施形態は、相対的に電池１２、１２Ａ側が重く使用時にその重い側を下に位置させて操作してバランスのよい配置関係を実現したものである。なお、操作ボタン１６には、例えばターティクルスイッチやペーパースイッチなどを利用することができる。これらのスイッチは、筐体に設けられるタッチ部材と一体化して機能することになる。
【００３６】
図７は、本発明のさらに別の実施形態に係る携帯機器の構成を示す側面図である。図７において、すでに説明した構成要素と同一のものには同一符号を付してある。この実施形態では、ディスプレイ１７を新たに設け、これを配線板１４のコネクタ１１が実装された側とは反対の面側に設けている。ディスプレイ１７には例えば液晶ディスプレイを用いることができる。なお、その他の構成については図１と同じであるが、当然図２や図３に示した構成と同じにしてもよい。
【００３７】
このようにディスプレイ１７を配置したのは、電池１２、１２Ａが他の構成部品に比べて重量があるため、ディスプレイ１７の視認時には電池１２、１２Ａが携帯機器としての下部（裏）位置するのがバランスとして好ましいからである。すなわち、この実施形態は、相対的に電池１２、１２Ａ側が重く、利用者が使用時にその重い側を下に位置させてディスプレイ１７を視認するとバランスが好ましくなる配置関係を実現したものである。
【００３８】
図８は、本発明のさらに別の実施形態に係る携帯機器の構成を示す側面図である。図８において、すでに説明した構成要素と同一のものには同一符号を付してある。この実施形態では、非常時操作ボタン１８を新たに設け、これを配線板１４のコネクタ１１が実装された側と同じ側に設けている。なお、その他の構成については図１と同じであるが、当然図２や図３に示した構成と同じにしてもよい。ただし、図３の構成を採用する場合には、ペーパ状の電池１２Ａの平面形状を、非常時操作ボタン１８に対して逃げを設けた形状にする。
【００３９】
非常時操作ボタン１８には、例えばリセットボタンやプログラム書き換え用のブートスイッチボタンなどが考えられる。リセットボタンは、非常時に機能リセットを行うためである。また、ブートスイッチボタンは、一般にＣＰＵを有する携帯機器には機能を達成するためにプログラム（ソフトウエア）が組み込まれており、この書換えが場合により必要となるので、これに対応するものである。これにより、プログラムの書き込みを、筐体にケーシングする前に限らず筐体ケーシングした後に行うことができる。
【００４０】
この実施形態のように非常時操作ボタン１８を携帯機器としての裏面に配置すれば、通常の操作する上での邪魔にならない。また、偶発的な操作がされにくくなり非常時操作ボタンの配置として向く。
【００４１】
図９は、本発明のさらに別の実施形態に係る携帯機器の構成を示す図である。図９（ａ）は上面図、図９（ｂ）は側面図である。図９において、すでに説明した構成要素と同一のものには同一符号を付してある。この実施形態では、アンテナ１９を新たに設け、これを配線板１４のコネクタ１１が実装された側と同じ側に設けている。なお、その他の構成については図１と同じであるが、当然図２や図３に示した構成と同じにしてもよい。アンテナ１９は、この携帯機器と外部のホスト機器などとを無線により非接触でインターフェースするためのものである。
【００４２】
このようにアンテナ１９を配置したのは、すでに述べたように、相対的に重量の重い電池１２、１２Ａの存在する面側を携帯機器としての裏側とするのがバランスが取れて好ましいからである。すなわち、携帯機器としての裏面にアンテナ１９を配置するので裏面側をホスト機器側に近接させても操作やディスプレイ視認の障害とならない。また、そのような相互の近接をさせると、より近距離でアンテナ１９とホスト機器とが通信し得るので通信の信頼性の確保上も好ましい。
【００４３】
なお、上記の非接触のインターフェースの規格には、例えばＩＳＯ１４４４３で規定するものがある。この場合ホスト機器としては、リーダ・ライタを例示することができる。リーダ・ライタにより読み書きされる対象は、この携帯機器に内蔵されたＳＩＭ（subscriber identity module）などの小型ＩＣカード（図示せず）という構成が考えられる。ＳＩＭについては次の実施形態でも説明する。
【００４４】
図１０は、本発明のさらに別の実施形態に係る携帯機器の構成を示す側面図である。図１０において、すでに説明した構成要素と同一のものには同一符号を付してある。この実施形態では、ＳＩＭ用コネクタ２０を新たに設け、これを配線板１４のコネクタ１１が実装された側と同じ側に設けている。なお、その他の構成については図１と同じであるが、当然図２や図３に示した構成と同じにしてもよい。ただし、図３の構成を採用する場合には、ペーパ状の電池１２Ａの平面形状を、ＳＩＭ用コネクタ２０に対して逃げを設けた形状にする。
【００４５】
ＳＩＭが携帯機器に使われる背景は次のようである。一般に携帯機器は、モバイル性があることから紛失などにより第三者に使用される恐れがある。そこで使用者しか使用できないようにするのが好ましい。近年、携帯電話にはセキュリティ性が高い小型のＳＩＭやＵＩＭ（user identity module）と呼ばれるセキュリティＩＤモジュールが組み込まれてきている。日本でも最新の携帯電話には組み込まれて既に実用化されている。ＵＩＭは、携帯電話会社が発行する契約者情報を記録した小型のＩＣカードであって、携帯電話に組み込んで利用者の識別に使用する。これはＳＩＭから機能拡張が行われたもので、契約者情報以外にプライベート情報や個人識別情報などを暗号化して登録することが可能である。ＳＩＭをベースにしているのでＵＳＩＭ（universal SIM）とも呼ばれる。
【００４６】
ＳＩＭは、携帯機器を携帯時にはこれに挿入し、携帯せず不使用の時には携帯機器から取り外せるようにするのがより好ましい。本実施形態では、ひとつの意図として、ＳＩＭが形状としてカード状でありその表面に文字や画像などを印字できることに鑑み、ＳＩＭをこの携帯機器に挿入したときにその印字部分が見えるようにしたものである。これにより使用者がだれであるかが容易に判断できる。
【００４７】
また、ＳＩＭ用コネクタ２０を、すでに述べたような携帯機器としての裏面に配置することで、ＳＩＭの偶発的な着脱がされにくくすることを意図している。すなわち、この実施形態によれば内蔵されるＳＩＭが、コネクタ１１が実装された面と同じ側、すなわちより好ましくはディスプレイや操作ボタンの位置する側とは反対の側に設けられ、ＳＩＭの着脱が通常操作のひとつとして扱わなわれないようなＳＩＭ用コネクタ２０の配置になっている。
【００４８】
以上各実施形態について説明をしたが、本発明に係る携帯機器は、本発明の主旨を逸脱しない範囲で種々変更が可能である。例えば、上記の各実施形態で本人を認知するバイオメトリックスを利用した認証センサなどをさらに設け、これを操作面、すなわち電池１２、１２Ａが位置する側とは反対の配線板１４、１４Ａの面側に配置することもできる。また、電池１２は、リチウムイオン電池などの二次電池のほか使いきりの一次電池にすることもできる。さらに、ＵＳＢ用コネクタ１１を、ホスト機器からの充電ができるコネクタに代えて備えるようにすれば、充電端子などを新たに設ける必要もなくなる。
【図面の簡単な説明】
【００４９】
【図１】本発明の一実施形態に係る携帯機器の構成を示す図。
【図２】本発明の別の実施形態に係る携帯機器の構成を示す図。
【図３】本発明のさらに別の実施形態に係る携帯機器の構成を示す図。
【図４】本発明のさらに別の実施形態に係る携帯機器の構成を示す側面図。
【図５】本発明のさらに別の実施形態に係る携帯機器の構成を示す側面図。
【図６】本発明のさらに別の実施形態に係る携帯機器の構成を示す側面図。
【図７】本発明のさらに別の実施形態に係る携帯機器の構成を示す側面図。
【図８】本発明のさらに別の実施形態に係る携帯機器の構成を示す側面図。
【図９】本発明のさらに別の実施形態に係る携帯機器の構成を示す図。
【図１０】本発明のさらに別の実施形態に係る携帯機器の構成を示す側面図。
【符号の説明】
【００５０】
１１…ＵＳＢ用コネクタ、１２，１２Ａ…電池、１３…ＣＰＵ、１４，１４Ａ…配線板、１５，１５Ａ…その他の回路部品、１６…操作ボタン、１７…ディスプレイ、１８…非常時操作ボタン、１９…アンテナ、２０…ＳＩＭ用コネクタ。
【図１】
2005202563.tif 000003
【図２】
2005202563.tif 000004
【図３】
2005202563.tif 000005
【図４】
2005202563.tif 000006
【図５】
2005202563.tif 000007
【図６】
2005202563.tif 000008
【図７】
2005202563.tif 000009
【図８】
2005202563.tif 000010
【図９】
2005202563.tif 000011
【図１０】
2005202563.tif 000012